(57)【要約】  【課題】製造時、輸送時、保管時、取り付け時等において取り扱い容易であり、且つ、既存の多様な蛍光灯用照明器具に対応する照明光源を提供する。  【解決手段】半導体発光素子を光源として備え、既存の直管蛍光灯の管長よりも短い複数の光源ユニット２０を直列に連結して成る光源部２００の両端に、既存の直管蛍光灯用の照明器具に対応する口金を備えた口金部１０および３０をそれぞれ連結する。口金部１０は長さ調節機構を備え、当該長さ調節機構および連結する光源ユニット２０の個数により、照明光源の管長を変更して、既存の多様な照明器具に対応する。【選択図】図１
2011070810.tif 000002
【特許請求の範囲】
【請求項１】
直管蛍光灯用照明器具における相互に対向配置された一対のソケットのそれぞれに着脱可能な口金端子を備える一対の口金部と、当該口金部を介して前記ソケットから供給される電力を受けて発光する光源部とから成る、既存の直管蛍光灯を代替する照明光源であって、
前記光源部は、代替する直管蛍光灯の管長よりも短い複数の光源ユニットを含み、
前記光源ユニットは、 
半導体発光素子が実装されたベース部材を含む発光部と、
他の光源ユニットを着脱可能且つ直列に連結する不撓性の連結部と、
当該光源ユニットと他の光源ユニットとが連結された場合に、当該光源ユニットの発光部と他の光源ユニットの発光部とを電気的に接続することにより、前記半導体発光素子への給電路の一部を構成する電気端子部と、を有する
ことを特徴とする照明光源。
【請求項２】
前記光源ユニットは、他の光源ユニットと連結された場合に、他の光源ユニットと相対する当該光源ユニットの前記連結部に、それぞれの光源ユニットにおける発光部の光照射方向が略平行となる位置において係合する部材を備え、前記他の光源ユニットは、前記係合部材に相対する位置に被係合部材を備える
ことを特徴とする請求項１に記載の照明光源。
【請求項３】
前記電子端子部が、前記連結部上に設けられている
ことを特徴とする請求項１または２に記載の照明光源。
【請求項４】
前記口金部は、
蛍光灯用照明器具のソケットから電力の供給を受ける口金端子部と、
前記光源部に接続される光源部側接続部と、
前記口金端子部と前記光源部側接続部との間の距離を変更するアジャスター部と、を備える
ことを特徴とする請求項１から３のいずれか１項に記載の照明光源。
【請求項５】
前記アジャスター部は弾性部材を含み、当該弾性部材の弾性力により前記口金端子部と前記光源部側接続部との間の距離が離れる方向に付勢しつつ、当該距離の変更を許容する
ことを特徴とする請求項４に記載の照明光源。
【請求項６】
前記係合部材は突起であり、前記被係合部材は前記突起に対応する凹部である
ことを特徴とする請求項２に記載の照明光源。
【請求項７】
丸形蛍光灯用照明器具におけるソケットに着脱可能な口金端子を備える口金部と、当該口金部を介して前記ソケットから供給される電力を受けて発光する光源部とから成る、既存の丸形蛍光灯を代替する照明光源であって、
前記光源部は、複数の光源ユニットを含み、
前記光源ユニットは、
半導体発光素子を構成中に含む発光部と、
１の平面内において屈曲可能であって、他の光源ユニットを着脱可能に連結する連結部と、
当該光源ユニットと他の光源ユニットとが連結された場合に、当該光源ユニットの発光部と他の光源ユニットの発光部とを電気的に接続することにより、前記半導体発光素子への給電路の一部を構成する電気端子部と、を有し、
連結された前記複数の光源ユニットの両端が、１の前記口金部に接続される
ことを特徴とする照明光源。
【請求項８】
前記光源ユニットは、他の光源ユニットと連結された場合に、他の光源ユニットと相対する当該光源ユニットの前記連結部に、それぞれの光源ユニットにおける発光部の光照射方向が略平行となる位置において係合する部材を備え、前記他の光源ユニットは、前記係合部材に相対する位置に被係合部材を備える
ことを特徴とする請求項７に記載の照明光源。
【請求項９】
前記電子端子部は、前記連結部上に配設されている
ことを特徴とする請求項７または８に記載の照明光源。
【請求項１０】
前記１の平面は、前記光源ユニットの光照射方向と直交する平面である
ことを特徴とする請求項７から９のいずれか１項に記載の照明光源。
【発明の詳細な説明】
【技術分野】
【０００１】
本発明は、照明光源、特に、製造時、輸送時、保管時、取り付け時等に取り扱い容易な照明光源に関する。
【背景技術】
【０００２】
従来、照明装置として、白熱電球よりも低消費電力で長寿命の蛍光灯を光源に使用したものが広く用いられている。しかし近年、蛍光灯よりもさらに低消費電力で、長寿命で、発熱量も少なく、蛍光灯のように水銀による環境汚染の問題のない光源として、発光ダイオード（ＬＥＤ：Ｌｉｇｈｔ  Ｅｍｉｔｔｉｎｇ  Ｄｉｏｄｅ）等の半導体発光素子を光源に用いた照明装置が、世界的なエネルギー不足への懸念の高まりや地球温暖化問題、環境問題の観点からも、注目を集めている。その結果、現在使用されている蛍光灯を半導体発光素子を用いた照明に置換しようとする動きが見られる。
【０００３】
しかし、現在、世界中で蛍光灯は広く普及しており、家庭やオフィス、公共施設等において膨大な数の蛍光灯用の照明器具が設置されている。これらを半導体発光素子を用いた照明装置専用の照明器具に置き換えようとすると非常に大きなコストと手間がかかってしまう。
そこで、複数のＬＥＤが搭載されたプリント基板を既存の蛍光灯と同じ長さの直管形状の筐体内に配置し、その両端を従来の蛍光灯用の照明器具のソケットに装着可能な給電用口金にて封止することにより、既存の直管蛍光灯との互換性を有した、直管蛍光灯型のＬＥＤ照明光源が提案されている。（特許文献１および２）
【先行技術文献】
【特許文献】
【０００４】
【特許文献１】特許第３９８７１０３号
【特許文献２】特許第４１５６６５７号
【発明の概要】
【発明が解決しようとする課題】
【０００５】
しかしながら、特許文献１および２に開示された蛍光灯型ＬＥＤ照明光源では、筐体は従来の蛍光灯と同様に一定の長さに固定されており、輸送時、保管時等においても従来の蛍光灯と同じだけの長さの輸送空間および収納空間を要し、不便である。また、ユーザが持ち運ぶ際にも、従来の直管蛍光灯と同様に長尺で取り扱いが容易でなく、不便である。さらに、代替用ＬＥＤ照明光源は、長さの異なる多様な蛍光灯用照明器具に合わせて個別に設計しなければ、既存の蛍光灯用照明器具に対応することができない。
【０００６】
本発明の目的は、上記事情に鑑みてなされたものであって、取り扱いが容易で、既存の多様な蛍光灯用照明器具に対応可能な、半導体発光素子を用いた照明光源を提供することにある。
【課題を解決するための手段】
【０００７】
上記の目的を達成するため、本発明に係る照明光源は、直管蛍光灯用照明器具における相互に対向配置された一対のソケットのそれぞれに着脱可能な口金端子を備える一対の口金部と、当該口金部を介して前記ソケットから供給される電力を受けて発光する光源部とから成る、既存の直管蛍光灯を代替する照明光源であって、前記光源部は、代替する直管蛍光灯の管長よりも短い複数の光源ユニットを含み、前記光源ユニットは、半導体発光素子が実装されたベース部材を含む発光部と、他の光源ユニットを着脱可能且つ直列に連結する不撓性の連結部と、当該光源ユニットと他の光源ユニットとが連結された場合に、当該光源ユニットの発光部と他の光源ユニットの発光部とを電気的に接続することにより、前記半導体発光素子への給電路の一部を構成する電気端子部と、を有することを特徴とする。
【発明の効果】
【０００８】
上記構成により、照明光源をユニット単位に分割することができるので、従来の蛍光灯型ＬＥＤ照明光源のように長尺にならず、持ち運びの際等において容易に取り扱うことができる。また、輸送時や保管時等において、従来の蛍光灯型ＬＥＤ照明光源よりも短い長さの空間で足りるので、利便性に資することができる。
さらに、前記光源ユニットは、他の光源ユニットと連結された場合に、他の光源ユニットと相対する当該光源ユニットの前記連結部に、それぞれの光源ユニットにおける発光部の光照射方向が略平行となる位置において係合する部材を備え、前記他の光源ユニットは、前記係合部材に相対する位置に被係合部材を備えてもよい。
【０００９】
これにより、それぞれの光源ユニットの光照射方向を揃えて効果的な配光を実現することができる。
また、前記電子端子部が、前記連結部上に設けられていてもよい。
これにより、別個、給電路を設けてそれらを接続する機構を設ける必要が無く、部品点数を減らしてコストを抑制することができる。また、給電路を接続する作業を省いてユーザの利便性に資することができる。
【００１０】
ここで、前記口金部は、蛍光灯用照明器具のソケットから電力の供給を受ける口金端子部と、前記光源部に接続される光源部側接続部と、前記口金端子部と前記光源部側接続部との間の距離を変更するアジャスター部と、を備えてもよい。
これにより、連結する光源ユニットの個数の変更と併せて、多様な蛍光灯用照明器具に適用することができる。
【００１１】
さらに、前記アジャスター部は弾性部材を含み、当該弾性部材の弾性力により前記口金端子部と前記光源部側接続部との間の距離が離れる方向に付勢しつつ、当該距離の変更を許容してもよい。
これにより、口金端子部と前記光源部側接続部との間の距離が変更可能となり、多様な直管蛍光灯用照明器具に適用することができる。さらに、弾性部材の弾性力により口金端子部と前記光源部側接続部との間の距離が離れる方向に常に付勢されているので、照明器具のソケットに照明光源が安定的に保持される効果がある。
【００１２】
また、前記係合部材は突起であり、前記被係合部材は前記突起に対応する凹部であってもよい。
これにより、前記係合部材および前記被係合部材は、それぞれ突起とそれに対応する凹部という簡単な構造であるので、製造および取り扱いが容易で、コストを抑制することができる。
【００１３】
また、本発明に係る照明光源は、丸形蛍光灯用照明器具におけるソケットに着脱可能な口金端子を備える口金部と、当該口金部を介して前記ソケットから供給される電力を受けて発光する光源部とから成る、既存の丸形蛍光灯を代替する照明光源であって、前記光源部は、複数の光源ユニットを含み、前記光源ユニットは、半導体発光素子を構成中に含む発光部と、１の平面内において屈曲可能であって、他の光源ユニットを着脱可能に連結する連結部と、当該光源ユニットと他の光源ユニットとが連結された場合に、当該光源ユニットの発光部と他の光源ユニットの発光部とを電気的に接続することにより、前記半導体発光素子への給電路の一部を構成する電気端子部と、を有し、連結された前記複数の光源ユニットの両端が、１の前記口金部に接続されてもよい。
【００１４】
これにより、照明光源を分割して使用時における外径よりも小さなサイズに梱包することができるので、従来の丸形蛍光灯よりも容易に取り扱うことができ、輸送時や保管時等における利便性を向上させることができる。
ここで、さらに、前記光源ユニットは、他の光源ユニットと連結された場合に、他の光源ユニットと相対する当該光源ユニットの前記連結部に、それぞれの光源ユニットにおける発光部の光照射方向が略平行となる位置において係合する部材を備え、前記他の光源ユニットは、前記係合部材に相対する位置に被係合部材を備えてもよい。
【００１５】
これにより、それぞれの光源ユニットの光照射方向を揃えて効果的な配光を実現することができる。
また、ここで、前記電子端子部は、前記連結部上に配設されていてもよい。
これにより、別個、給電路を設けてそれらを接続する機構を設ける必要が無く、部品点数を減らしてコストを抑制することができ、また、給電路を接続する作業を省いてユーザの利便性に資することができる。
【００１６】
さらに、ここで、前記１の平面は、前記光源ユニットの光照射方向と直交する平面であってもよい。
これにより、連結部が屈曲した場合においても、それぞれの光源ユニットの光照射方向を略平行に保つことができる。
【図面の簡単な説明】
【００１７】
【図１】本発明の実施の形態１に係る照明光源の各構成ユニットが分離された状態と連結された状態を示す外観斜視図であって、（ａ）には照明光源を構成する口金部および光源ユニットがそれぞれ分離された状態における外観が、（ｂ）には口金部の光源ユニットと連結される側のうち（ａ）に示されているのとは異なる側の口金部の外観が、（ｃ）には本発明の実施の形態１に係る照明光源の各構成ユニットが直管上に連結された状態における外観が、それぞれ示されている。
【図２】本発明の実施の形態１に係る光源ユニットの構成を示す外観斜視図であって、（ａ）は正面左側から、（ｂ）は正面右側から見た斜視図である。
【図３】本発明の実施の形態１に係る光源ユニットの筐体内部の構成を示す分解斜視図である。
【図４】本発明の実施の形態１に係る口金部の構成および長さ調節機構の構成を示す分解斜視図であって、（ａ）は正面左側から、（ｂ）は正面右側から見た斜視図である。
【図５】図４に示す口金部の各構成部品が組み付けられた状態における図４（ａ）に示す仮想平面Ｐ１による断面図である。
【図６】本発明の実施の形態１の変形例に係る光源ユニットの構成および形状を示す外観斜視図であって、（ａ）は円筒形の筐体を有し、（ｂ）は四角筒状の筐体を有する光源ユニットを示す。
【図７】本発明の実施の形態１の変形例に係る光源ユニットの構成および形状を示す外観斜視図であって、複数のＬＥＤがベース部材上に２次元的に配置された光源ユニットを示す。
【図８】本発明の実施の形態１の変形例に係る光源ユニットの構成および形状を示す外観斜視図であって、筐体と連結されている側の連結部の端面上に複数のＬＥＤが２次元的に配置され、（ａ）は内部に円筒状の導光部材を有する筐体を、（ｂ）は内周面に蛍光材が塗布された筐体を備えた光源ユニットを示す。
【図９】本発明の実施の形態１の変形例に係る光源ユニットの構成および形状を示す外観斜視図であって、筐体と連結されている側の連結部の端面上に赤色、緑色、および青色ＬＥＤがそれぞれ複数２次元的に配置され、内周面に蛍光材が塗布された筐体を備えた光源ユニットを示す。
【図１０】本発明の実施の形態１の変形例に係る光源ユニットの構成および形状を示す外観斜視図であって、（ａ）は板状の遮蔽部材を、（ｂ）は円筒状の遮蔽部材を備えた光源ユニットを示す。
【図１１】本発明の実施の形態１の変形例に係る光源ユニットの構成および形状を示す外観斜視図であって、筐体内周面の一部に反射膜が配設された光源ユニットを示す。
【図１２】本発明の実施の形態１の変形例に係る光源ユニットの構成および形状を示す外観斜視図であって、光源として（ａ）は板状の有機ＥＬ（Ｅｌｅｃｔｒｏ  Ｌｕｍｉｎｅｓｃｅｎｃｅ）が筐体中央に、（ｂ）はフレキシブル基板を備えた有機ＥＬが筐体内面に配設された光源ユニットを示す。
【図１３】本発明の実施の形態１の変形例に係る光源ユニットの構成および形状を示す外観斜視図であって、連結部と筐体とを分離することなく発光部が交換可能な構成となっており、（ａ）は発光部の発光モジュールにより光色を決定し、（ｂ）は発光部を収容する小光源ユニットの筐体により光色を決定し、（ｃ）は光源ユニットの筐体により光色を決定する構成を備える光源ユニットを示す。
【図１４】本発明の実施の形態１の変形例に係る光源ユニットの構成および形状を示す分解斜視図であって、連結部と発光部とが半田付けされたリード線によって電気的に接続された光源ユニットを示す。
【図１５】本発明の実施の形態１の変形例に係る光源ユニットの構成および形状を示す分解斜視図であって、発光部が連結部または筐体に直接保持されず、保持部材により保持される構成を備える光源ユニットを示す。
【図１６】本発明の実施の形態１の変形例に係る光源ユニットおよび連結部の構成および形状を示す外観斜視図であって、（ａ）および（ｂ）は一対のピンおよびピン穴を備えた連結部を有する光源ユニットを示し、（ｃ）、（ｄ）、（ｅ）、および（ｆ）は一対の板状ピンおよび差込口を供えた連結部を示す。
【図１７】本発明の実施の形態１の変形例に係る連結部の構成および形状を示す図であって、（ａ）、（ｂ）は連結部材を連結穴に挿入して回転させることによって連結する構成を備える連結部の斜視図であり、（ｃ）は（ａ）、（ｂ）に示す連結部の正面図であり、（ｄ）、（ｅ）は連結部材を連結穴に挿入して直線的に移動させることによって連結する構成を備える連結部の斜視図であり、（ｆ）は（ｄ）、（ｅ）に示す連結部の正面図である。
【図１８】本発明の実施の形態１の変形例に係る口金部の構成および長さ調節機構の構成を示す分解斜視図であって、（ａ）は正面左側から、（ｂ）は正面右側から見た斜視図である。
【図１９】図１８に示す口金部の各構成部品が組み付けられた状態における図１８（ａ）に示す仮想平面Ｐ２による断面図である。
【図２０】本発明の実施の形態１の変形例に係る口金部の構成および長さ調節機構の構成を示す分解斜視図であって、（ａ）は正面左側から、（ｂ）は正面右側から見た斜視図である。
【図２１】図２０に示す口金部の各構成部品が組み付けられた状態における図２０（ａ）に示す仮想平面Ｐ３による断面図である。
【図２２】本発明の実施の形態２に係る照明光源の各構成ユニットが分離された状態と連結された状態を示す平面図であって、（ａ）には光源ユニットが、（ｂ）には口金部が、（ｃ）には本発明の実施の形態２に係る照明光源の各構成ユニットが環状に連結された状態が、それぞれ示されている。
【図２３】本発明の実施の形態２に係る光源ユニットの構成を示す一部切り欠き外観斜視図である。
【図２４】本発明の実施の形態２に係る光源ユニットの連結部内部の屈曲機構を示す分解斜視図である。
【発明を実施するための形態】
【００１８】
以下、本発明に係る照明光源の実施の形態を、図面に基づいて説明する。
＜実施の形態１＞
（１−１．照明光源の全体構成）
図１は、本発明の実施の形態１に係る直管型照明光源１００の概略構成を示す外観斜視図である。図１（ａ）は、直管蛍光灯の口金形状を有し、直管蛍光灯用照明器具のソケットに嵌合される一対の電極端子１１１をそれぞれ備える口金部１０、３０、および、口金部１０および３０からの電力の供給を受けて発光する光源部２００を構成する光源ユニット２０が、それぞれ分離された状態を示す外観斜視図である。図１（ｂ）は、口金部３０の光源ユニット２０と連結される側を示す外観斜視図である。図１（ｃ）は、複数の光源ユニット２０が直列に連結されて成る光源部２００の両端に口金部１０および３０がそれぞれ連結された状態を示す外観斜視図である。図１（ｃ）に示すように、光源部２００を構成する光源ユニット２０の連結数を変更することにより、管長を変更することができ、これにより、多様な長さの直管蛍光灯用照明器具に用いることが出来るようになっている。
（１−２．光源ユニットの構成）
図２は、光源ユニット２０の概略構成を示す外観斜視図であって、図２（ａ）は光源ユニットの正面左側から見た図であり、図２（ｂ）は、正面右側から見た図である。ベース部材２３１上に半導体発光素子であるＬＥＤ２３２が配置された発光モジュールを有する発光部２３が、透明な円筒状の筐体２４内部に配置され、当該発光部２３と筐体２４との両端に、連結部２１および２２がそれぞれ接続されて発光部２３を封止している。前記ＬＥＤ２３２は蛍光体が混入されたシリコーン樹脂等の樹脂により封止され、ベース部材２３１上にライン状に複数配置されている。ベース部材２３１は、例えば、アルミナや窒化アルミに代表されるセラミックやアルミなどの金属、液晶ポリマーやポリイミド等の樹脂から成り、筐体２４は、例えば、アクリル、ポリカーボネート樹脂等から成る。連結部２１はメスネジ２１１を、連結部２２はオスネジ２２１をそれぞれ備えており、それぞれ、他の光源ユニット２０のオスネジ２２１およびメスネジ２１１と螺合する。また、口金部１０はオスネジ２２１を、口金部３０はメスネジ２１１を備えており（図１（ａ）、（ｂ）参照）、口金部１０のオスネジ２２１が、光源部２００の一方の端部の光源ユニット２０のメスネジ２１１に螺合され、口金部３０のメスネジ２１１が、光源部２００のもう一方の端部のオスネジ２２１に螺合されて、直管型照明光源１００を構成する。光源ユニット２０および口金部１０のオスネジ２２１と、光源ユニット２０および口金部３０のメスネジ２１１とは、それぞれ電球の口金およびソケットと同様の形状および構成を有しており、２つの電極を備え、直管型照明光源１００の給電路の一部を構成している。なお、ベース部材２３１上には、当該ベース部材２３１上に配置された各ＬＥＤ２３２への電流路の一部が形成されている。
【００１９】
なお、同図においては、ベース部材２３１上に配置されたＬＥＤ２３２を明瞭に表示するために、光照射方向が上方となるように図示されているが、実際の使用の際には、照明器具は天井等の高い位置に設置される場合が多いため、光照射方向は下方となり、図とは上下逆となる。以下、本願の図面においては、上記の目的から同様に光照射方向が上方となるように図示してある。
【００２０】
また、上記アクリル、ポリカーボネート樹脂等から成るものと比較すると強度は低いが、筐体２４にガラスを用いることも可能である。この場合においても、従来の長尺な直管型蛍光灯よりも管長が短いので、その分ある程度は取り扱いが容易になる。
連結部２１には凹部２１２が、連結部２２には凸部２２２が設けられており、他の光源ユニット２０と連結された際に、それぞれの光源ユニット２０の光照射方向が略平行となる位置で、凹部２１２および凸部２２２が係合する。これにより、複数の光源ユニット２０が連結された際に、それぞれの光源ユニット２０の光照射方向を揃えることが出来る。なお、口金部１０の電極端子１１１が設けられている側とは反対側の端部には凸部２２２が設けられ（図１ａ参照）、口金部３０の電極端子１１１が設けられている側とは反対側の端部には凹部２１２（図１ｂ参照）が設けられており、光源部２００の各光源ユニット２０の光照射方向が垂直方向下側を向いた状態で口金部１０および３０の電極端子１１１が蛍光灯用照明器具のソケットに装着される位置において、それぞれ光源部２００の両端の光源ユニット２０の凹部２１２および凸部２２２と係合する。
【００２１】
蛍光灯用照明器具は交流電力を供給する一方、ＬＥＤを点灯させるためには直流電力が必要となるので、口金部１０（図１参照）は整流回路を内蔵している。なお、整流回路は口金部３０に設けるようにしてもよい。筐体２４内部には、導電線２５が設けられており、当該導電線２５は、直管蛍光灯用照明器具の対向配置された一対のソケットと整流回路との間の交流電流路の一部を構成するとしてもよく、整流回路と、連結された各光源ユニットにおける各ＬＥＤとの間の直流電流路の一部を構成するとしてもよい。また、導電線２５を複数備えた構成としてもよく、照明器具側に配線の変更や装置の付け替え等の処理を施す場合には、導電線２５を備えない構成としてもよい。なお、口金部１０が内蔵する整流回路の構成に関しては、例えば、特開２００９−８７５８８号公報を参照されたい。
【００２２】
また、連結される光源ユニットの個数によって直管型照明光源１００に必要な電圧が異なるため、整流回路に加えて、電圧変更回路と、ユーザが光源ユニットの連結個数を選択することにより、当該連結個数の情報を受付ける連結個数受付け手段とを口金部１０に設け、連結個数受付手段が受付けた光源ユニット２０の連結個数情報に従って、電圧変更回路が電圧を適切な値に変更するようにしてもよい。この場合においても、整流回路、電圧変更回路、および連結個数受付け手段は、口金部３０に備えられるようにしてもよい。
【００２３】
ここで、口金部１０にマイコンを搭載して連結された光源ユニットの個数を自動で判断し、電圧変更回路が連結個数に適した電圧を供給するように制御する構成とすることもできる。この場合においてもマイコンは口金部３０に備えられてもよい。
さらに、整流回路を蛍光灯用照明器具側に備えるようにしてもよい。その場合、既存の蛍光灯用照明器具に当該整流回路を設置する工事が必要となるが、既存の蛍光灯用照明器具を利用し、照明器具全体を取り替える必要がないため、ユーザの利便性に資することができる。この場合は、対象の蛍光灯用照明器具に取り付けるべき直管型照明光源１００の長さは固定であり、連結する光源ユニットの個数も固定されるため、その連結個数に適合した直流電圧を最初から提供するような回路構成とすればよい。
【００２４】
図３は、光源ユニット２０から筐体２４を取り除き、発光部２３と、連結部２１および２２とを取り外した状態を示す斜視図である。同図に示すように、発光部２３はその長手方向の両端に板状ピン２３３を備えており、当該板状ピン２３３が、連結部２１および２２に設けられた差込口２２３（連結部２１の差込口２２３については不図示）に嵌合されることにより、発光部２３が、連結部２１および２２に固定される。また、板状ピン２３３と差込口２２３とが嵌合することにより、ＬＥＤ２３２への給電路の一部が形成される。
（１−３．口金部の長さ調節機構）
本実施の形態における直管型照明光源１００は、連結する光源ユニット２０の個数を変更することにより、長さの異なる複数の既存の蛍光灯を代替するのであるが、光源ユニットの個数を変更するだけでは、既存の蛍光灯の管長との間に若干の誤差が生じてしまう場合がある。そのため、本実施の形態においては、口金部１０は、長さ調節機構を備える。以下、当該長さ調節機構について図面を参照しながら説明する。
【００２５】
図４は、口金部１０の長さ調節機構に係る部品が互いに分解され組みつけられる前の状態を示す外観斜視図であって、図４（ａ）は正面左側から、図４（ｂ）は正面右側から見た斜視図である。口金部１０は、口金１１、バネ１２、および連結部１３とから成る。口金１１は、当該口金１１の外形を形作るキャップ１１４を有し、当該キャップ１１４の閉じた方の端部における端面には、蛍光灯用照明器具のソケットに嵌合される一対の電極端子１１１が設けられている。キャップ１１４の開口部側には、キャップ１１４の内径よりも小さい径を持つ円柱部１１３を有し、円柱部１１３の一方の端面は、キャップ１１４の端面の内面と一体となっている。円柱部１１３とキャップ１１４との間には、円筒状空隙部１１５が形成され、キャップ１１４の円筒状空隙部１１５側の面上には、係合突起部１１４ａが設けられている。１１２は、電極端子１１１からの電力の供給路となるリード線であり、図では途中で切断された状態となっているが、実際は連結部１３にまで繋がっており、直管型照明光源１００の電力供給路の一部を形成している。以下、他の図面においても同様である。円柱部１１３の周囲に、バネ１２が円筒状空隙部１１５内部に嵌るように設置され、さらに、連結部１３の円筒部１３３が、バネ１２を押し縮めるようにして円筒状空隙部１１５内部に挿入される。この時、円柱部１１３およびリード線１１２は、円筒部１３３の内部空間である円柱状空隙部１３１ｃおよび、連結部１３内部オスネジ２２１側に円柱状空隙部１３１ｃに隣接して設けられている収納部１３１ｄ内部に収納され、係合突起部１１４ａは、円筒部１３３の外周面上に設けられたスライド溝１３２に摺動可能に係合する。また、円柱部１１３は円筒部１３３に摺動可能に嵌合しており、円筒部１３３はキャップ１１４に、摺動可能に嵌合している。
【００２６】
図５に、口金１１、バネ１２、および連結部１３が組みつけられた状態において、図４（ａ）の仮想平面Ｐ１による断面を示す。同図に示すように、係合突起部１１４ａは、電極端子１１１側が太く連結部１３側が細くなったカギ状の形状となっており、これにより、口金１１と連結部１３との組み付けを容易にすると共に、係合突起部１１４ａの電極端子１１１側の端部がスライド溝１３２の口金１１側の端部によって係止され、口金１１と連結部１３とが一体となって保持される。また、口金１１はバネ１２により連結部１３から離れる方向に常に付勢されつつ、スライド溝１３２中を係合突起部１１４ａが摺動することにより、当該口金１１と連結部１３との間の距離を変更可能となっている。さらに、直管型照明光源１００の蛍光灯用照明器具への装着時において、バネ１２の付勢力により、口金部１０および３０が照明器具のソケットに常に押し付けられる方向に力が加えられるので、照明器具に直管型照明光源１００が安定的に保持される効果もある。
【００２７】
なお、凸部２２２および凹部２１２を導電性の部材により構成し、当該凸部２２２および凹部２１２が係合することにより、口金部１０および３０から、光源部２００を構成する各光源ユニット２０のＬＥＤへの給電路の一部が形成される構成としてもよい。
また、長さ調節機構が、口金部３０、または、光源ユニット２０に備えられた構成としてもよい。
（１−４．実施の形態１のまとめ）
以上述べたように、実施の形態１の構成によると、非使用時には、分割して管長を短くすることにより保管や輸送の便に資することができ、使用時には直列に連結して、既存の直管蛍光灯を代替するＬＥＤ等の半導体発光素子を備えた直管型照明光源１００を提供することができる。さらに、連結する光源ユニット２０の個数の調整、および長さ調節機構により、長さの異なる様々な直管蛍光灯用の照明器具に対応可能である。
＜変形例＞
以上、本発明の実施の形態１を図面に基づいて説明してきたが、本発明が上述の実施の形態に限定されないのは勿論であり、以下のような変形例を実施することができる。なお、説明の重複を避けるため、実施の形態１と同じ内容のものについてはその説明を省略し、同じ構成要素については、同符号を付すものとする。
（１）上記実施の形態１においては、複数のＬＥＤ２３２が直線状に配列されたベース部材２３１は、筐体２４の略中心に位置するように連結部２１および２２により支持されていたが、これに限られず、次のようにしてもよい。即ち、ベース部材２３１を直接筐体２４内面に貼付するようにしてもよい。この場合、筐体２４は円筒形（図６（ａ）参照）に限られず、図６（ｂ）に示すように、断面が四角形の筒状体でもよく、また、それ以外の多角形の断面を有する形状としてもよい。
（２）上記実施の形態１においては、ベース部材２３１上に複数のＬＥＤ２３２が直線上に配列されたライン光源を用いる構成としているが、これに限られず、図７に示すように、ベース部材２３１上に複数のＬＥＤ２３２が、２次元的に配置され面光源を形成する構成としてもよい。
（３）さらには、連結部２１の筐体２４に封入される側の端面上にＬＥＤ２３２を配置し、筐体内部に円筒状の導光部材２４１を配設する構成（図８（ａ））としてもよいし、蛍光体が混入されたシリコーン樹脂等により封止されていないＬＥＤ２３２’を連結部２１の筐体２４に封入される側の端面上に配置し、筐体２４内周面に蛍光体を塗布して蛍光体層２４２を形成する構成（図８（ｂ））としてもよい。
（４）図８（ｂ）に示す構成において、図９に示すように、ＬＥＤ２３２’として赤色ＬＥＤ２３２’Ｒ、緑色ＬＥＤ２３２’Ｇ、および青色ＬＥＤ２３２’Ｂの３種類を用いて白色光を生成する構成としてもよい。
（５）光源であるＬＥＤ２３２が直接ユーザから見えないように、ＬＥＤ２３２上に、遮蔽部材２３５を設けるとしてもよい。遮蔽部材２３５は、図１０（ａ）に示すように、半透明の板状部材でもよく、図１０（ｂ）に示すように、半透明の柱状もしくは筒状の部材でもよい。また、光源の直下部分の照度を低く設定したい場合などには、遮蔽部材２３５に不透明な部材を用いることも可能である。
（６）図１１に示すように、筐体２４内面に反射膜２６を設けることにより、配光を制御するようにしてもよい。同図においては、反射膜２６は筐体２４内面の略半周に亘って設けられているが、筐体２４内面上における反射膜の被覆程度は目的に応じて増減可能である。
（７）光源として用いる半導体発光素子はＬＥＤに限られず、有機ＥＬを用いてもよい。有機ＥＬ２７は、図１２（ａ）に示すように、長尺の板状の形状としてもよく、図１２（ｂ）に示すように、フレキシブルな基板を備えた有機ＥＬ２７を円筒状にして筐体２４の内面に配置する構成としてもよい。
（８）図１３に示すように、筐体２４と連結部２１および２２とを分離することなく発光部２３を筐体２４から取り出し可能な構成とすることもできる。具体的には、以下に示す小光源ユニット２８を備える構成である。小光源ユニット２８は、次のような構成をしている。即ち、発光部２３が筐体２４よりもさらに径の小さい円筒形の小筐体２８２内部に納められ、その両端が封止部材２８１および２８３により封止され、封止部材２８３の発光部２３が封止されている側とは反対側の面にはオスネジ２２１が取り付けられており、封止部材２８１の発光部２３が封止されている側とは反対側の面には板状ピン２８４および２８５が立設された構成となっている。実施の形態１において連結部２２上のオスネジ２２１が設けられている位置に開口部２２５が設けられ、当該開口部２２５により連結部２２の外側と内側は連通している。小光源ユニット２８は、板状ピン２８４および２８５が立設されている側の端部から開口部２２５より筐体２４内部に挿入され、連結部２１の筐体２４側端面の板状ピン２８４および２８５に相対する位置に設けられた差込口２１３および２１４に、板状ピン２８４および２８５が嵌合することにより、小光源ユニット２８は、筐体２４内部に保持される。板状ピン２８４および２８５は、互いに所定の角度を持って立設されている。これにより、小光源ユニット２８装着の際に、光照射方向が連結部２１および２２に対して常に同じ方向となり、光照射方向が同一方向に保たれる。さらに、ＬＥＤは電流の向きが所定の１方向の場合に発光するため、板状ピン２８４および２８５が差込口２１３および２１４に嵌合されることにより連結部２１のメスネジ２１１と発光部２３とが電気的に接続される場合には、プラスとマイナスが正しく接続されることが必要となる。そこで、板状ピン２８４および２８５の立設角度が異なるようにしておくことで、プラスとマイナスが確実に正しく接続される効果もある。なお、板状ピン２８４および２８５は、その形状や長さ、幅等が互いに異なるようにしても上記目的を達成することが可能である。
【００２８】
また、小光源ユニット２８が交換可能な構成であるため、複数の光色の小光源ユニット２８を用意することにより、小光源ユニット２８を交換して光色を変更することができる。小光源ユニット２８の光色変更は、個々のＬＥＤ２３２を封止するシリコーン樹脂に混入される蛍光材の種類の変更や複数種類の蛍光材の配合比率の変更によっても達成することができるが、シリコーン樹脂によって封止されていないＬＥＤ２３２’を用いて、小筐体２８２内面に塗布された蛍光材によって光色を変更する構成（図１３（ｂ））としてもよく、あるいは、筐体２４内面に塗布された蛍光材によって光色を変更する構成（図１３（ｃ））としてもよい。
【００２９】
なお、板状ピン２８４、２８５、および差込口２１３、２１４の形状については、図１３に示される形状に限られず、装着時の光照射方向を揃えて小光源ユニット２８を筐体２４内部に装着することができれば何れの形状としてもよい。例えば、凹部２１２、凸部２２２およびこれらと類似の機構により光照射方向を所定の向きに揃える機能を備えたオスネジとメスネジとしてもよい。
（９）実施の形態１においては、板状ピン２３３が差込口２２３に嵌合することにより、口金部１０および３０からＬＥＤ２３２への給電路の一部が形成されるとしたが、これに限られない。例えば、図１４に示すように、オスネジ２２１およびメスネジ２１１からリード線２２４を延ばし、その先端をそれぞれベース部材２３１の両端に半田付け２３４により電気的に接続するようにしてもよい。
（１０）発光部２３が直接連結部２１および２２に保持されるのではなく、ドックベースに収納されて、そのドックベースごと光源ユニット２０の筐体２４内部に収納される構成としてもよい。例えば、図１５（ａ）に示すように、ベース部材２３１のＬＥＤ２３２が配列されている側とは反対側に半円柱状部材２３７が設けられ、筐体２４内部に配置された半円柱形のドックベース２９の収容凹部２９１に半円柱状部材２３７が嵌合する構成としてもよい。半円柱状部材２３７には板状ピン２３６ａおよび２３６ｂが立設されており、それぞれ収容凹部２９１に設けられた差込口２９２ａおよび２９２ｂと嵌合することにより、発光部２３がドックベース２９に保持され、且つ、電気的に接続される。ＬＥＤは電流の向きが所定の１方向の場合に発光するため、上記電気的接続の際には、プラスとマイナスが正しく接続されることが必要である。そのため、板状ピン２３６ａおよび２３６ｂの長さや形状、立設角度等をそれぞれ異なるようにしておき、プラスとマイナスが確実に正しく接続されるようにしておくとよい。図１５には、板状ピン２３６ａおよび２３６ｂの幅（管長方向の長さ）が異なる場合を示してある。ドックベース２９の管長方向両端部には、それぞれ板状ピン２３３が立設されており、板状ピン２３３が連結部２１および２２に設けられている差込口２２３（連結部２１の差込口２２３については不図示）と嵌合する。板状ピン２３３と差込口２２３とが嵌合することにより、連結部２１および２２とドックベース２９とが電気的に接続され、その結果、直管型照明光源１００の電流路の一部を形成する。
【００３０】
さらには、図１５（ｂ）に示すように、ドックベース２９をより小型化して、小光源ユニット２８（図１３参照）の小筐体２８２（図１３参照）の役割を担わせるようにしてもよい。この場合、小筐体２８２内部にドックベース２９を収納するようにしてもよいが、図１５（ｂ）に示すように、小筐体２８２を備えない構成とすると、発光部２３のドックベース２９への取り付けが容易である。
【００３１】
なお、半円柱状部材２３７にヒートシンクの役割を担わせるとしてもよく、さらに、ドックベース２９にもヒートシンクの役割を担わせるとしてもよい。
（１１）実施の形態１においては、オスネジ２２１およびメスネジ２１１によって、光源ユニット２０と他の光源ユニット２０と、および光源ユニット２０と口金部１０、３０とを連結する構成としているが、これに限られず、以下のような変形例が考えられる。即ち、オスネジ２２１およびメスネジ２１１に代えて、図１６（ａ）、（ｂ）に示すようにピン２２６ａおよび２２６ｂが、ピン穴２１５ａおよび２１５ｂにそれぞれ嵌合することによって連結される構成としてもよい。この時、電流のプラスとマイナスの接続が正しく行われるように、図１６（ａ）、（ｂ）に示すようにピン２２６ａおよび２２６ｂの直径の大きさを異ならせるようにしてもよい。その場合、ピン穴２１５ａおよび２１５ｂの直径もそれに応じて異なる大きさとなる。
【００３２】
また、ピン２２６ａと２２６ｂ、および、ピン穴２１５ａと２１５ｂ以外にも、例えば、図１６（ｃ）〜（ｆ）に示すように、板状ピン２２７ａ、２２７ｂと、それに対応する差込口２１６ａ、２１６ｂとしてもよい。この場合においても、電流のプラスとマイナスの接続が正しく行われるように、板状ピン２２７ａ、２２７ｂの立設角度が異なるようにしてもよいし（図１６（ｃ）、（ｄ））、板状ピン２２７ａ、２２７ｂは互いに平行に立設されていて、それぞれの幅が異なるようにしてもよい（図１６（ｅ）、（ｆ））。また、ピンおよびそれに対応する差込口の数は３つ以上であってもよい。
【００３３】
さらには、オスネジ２２１およびメスネジ２１１以外の連結方法として、上記ピンによる方法の他に、図１７（ａ）、（ｂ）、（ｃ）に示すような連結部材を考えることも出来る。図１７（ａ）および（ｂ）は、連結部２２および２１の外観斜視図であり、図１７（ｃ）は、連結部２１の正面図である。水滴状の平面形状を有する板状部材２２８ａに円柱状部材２２８ｂが立設された連結部材２２８が連結部２２に設けられており、一方、連結部２１には連結穴２１７ａが設けられている。連結穴２１７ａは、板状部材２２８ａの平面形状と適合する形状を有する。連結部２１内部には、連結穴２１７ａと同一の垂直方向の断面形状を有し、連結穴２１７ａを介して外部と連通する連結空隙２１７ｂが設けられ、連結穴２１７ａから連結部材２２８が挿入された際に円柱状部材２２８ｂがちょうど納まる程度の管長方向の長さを備えている。上記連結空隙２１７ｂの筐体２４側の端面にはさらに、回転空間２１７ｃが設けられており、円柱状部材２２８ｂを中心に板状部材２２８ａを９０度回転させることができるようになっている。板状部材２２８ａを９０度回転させると、板状部材２２８ａ上の電気端子部２２８ｃが、回転空間２１７ｃの筐体２４側の面上に設けられている電気端子部２１７ｄと接触し、電流経路の一部を形成する。なお、板状部材２２８ａの平面形状を水滴状としたが、これに限られず、電流のプラスとマイナスが正しく接続され、且つ、光の照射方向を同一方向に揃えることができれば、前期水滴状以外の何れの形状を有するとしてもよい。
【００３４】
さらに、図１７（ｄ）、（ｅ）、（ｆ）に示すような連結部材を考えることもできる。図１７（ｄ）および（ｅ）は、連結部２２および２１の外観斜視図であり、図１７（ｆ）は、連結部２１の正面図である。長円状の平面形状を有する板状部材２２９ａに円柱状部材２２９ｂが立設された連結部材２２９が連結部２２の端面上部に設けられている。一方、連結部２１には連結穴２１９が設けられている。連結穴２１９は、水平方向に長い水平長円形穴部２１９ａと垂直方向に長い垂直長円形穴部２１９ｂとから成り、長円形穴部２１９ｂの下端と長円形穴部２１９ａの中央部とが連結された形状となっている。連結部２１内部には、連結穴２１９と同一の垂直方向の断面形状を有し、連結穴２１９を介して外部と連通する連結空隙２１９ｃが設けられ、連結穴２１９から連結部材２２９が挿入された際に円柱状部材２２９ｂがちょうど納まる程度の管長方向の長さを備えている。上記連結空隙２１９ｃの筐体２４側の端面にはさらに、スライド空間２１９ｄが設けられており、円柱状部材２２９ｂを垂直長円形穴部２１９ｂに沿って上方に移動させると、それに伴って板状部材２２９ａがスライド空間２１９ｄ内を上方に移動し、板状部材２２９ａがスライド空間２１９ｄ上面に当接して移動が停止され、その位置で連結部材２２９が保持される。この時、板状部材２２９ａ上の電気端子部２２９ｃが、スライド空間２１９ｄの筐体２４側の面上に設けられている電気端子部２１９ｅと接触し、電流経路の一部を形成する。なお、板状部材２２９ａの形状は長円状に限られず、電流のプラスとマイナスが正しく接続され、且つ、光の照射方向を同一方向に揃えることができれば、円、楕円、多角形形状等の何れの形状を有するとしてもよい。また、円柱状部材２２８ｂおよび２２９ｂの形状は円柱に限られず、多角形等の断面形状を有する柱状部材としてもよい。
（１２）実施の形態１においては、口金部１０がバネ１２（図４参照）の弾性力を利用した長さ調節機構を備える構成について説明した。しかし、これに限られず、以下のような長さ調節機構を備えた口金部１０を考えることが出来る。図１８（ａ）、（ｂ）に示すように、口金部１０は、口金１１、回転部１４、および連結部１３より成る。口金１１の回転部側端面には第１係合部１１６が立設されており、回転部１４の口金１１側端部に設けられた第１被係合部１４１と回転可能に係合する。回転部１４の内周面上にはメスネジ部１４３が設けられており、メスネジ部１４３から所定距離内側に離れてメスネジ部１４３と管長方向において略平行に第２係合部１４２が設けられている。連結部１３は、回転部１４側（口金１１側）に円筒部１３３を有し、当該円筒部１３３の外周面上にはオスネジ部１３３ａが設けられている。円筒部１３３内部には円柱状空隙部１３１ｃが設けられ、円柱状空隙部１３１ｃは、それよりも直径が若干小さい円形開口部１３１ａを介して外部と連通している。円柱状空隙部１３１ｃの周面と円形開口部１３１ａとの境界には、双方の径の大きさの違いにより環状段差部１３１ｂ（図１９参照）が形成されている。円柱状空隙部１３１ｃ、円形開口部１３１ａ、および環状段差部１３１ｂとにより第２被係合部１３１（図１９参照）が形成されている。第２係合部１４２は、円柱状空隙部１３１ｃの周面に沿って図１８（ａ）、（ｂ）に示す軸Ｘ方向に摺動可能であり、且つ、軸Ｘを中心として回転可能となっている。第２係合部１４２が環状段差部１３１ｂにより係止されることにより、回転部１４が連結部１３から離脱するのを防止している。また、第２係合部１４２と第２被係合部１３１とが係合している場合、メスネジ部１４３とオスネジ部１３３ａとが螺合する。図１９に、互いに組みつけられた状態の口金１１、回転部１４、および連結部１３の、図１８ａにおける仮想平面Ｐ２による断面図を示す。口金１１と回転部１４とは、互いの軸Ｘ方向の距離を一定に保持したまま軸Ｘを中心に回転可能に係合している。一方、回転部１４が回転すると、メスネジ部１４３とオスネジ部１３３ａとの螺合の程度が変化し、回転部１４と連結部１３との軸Ｘ方向の距離が変化する。これにより、回転部１４を回転させることにより、口金部１０における口金１１と連結部１３との軸Ｘ方向の長さを調節することができる。
（１３）また、さらに、以下のような長さ調節機構を備えた口金部１０を考えることが出来る。図２０（ａ）、（ｂ）に示すように、口金１１および連結部１３より成る。口金１１の連結部１３側端部には円筒部１１７が立設されている。円筒部１１７の外周面上には、係合突起部１１８が立設されている。連結部１３の口金１１側の内部は口金１１側端面において外部と連通する円柱状空隙部１３１ｃが設けられている。円柱状空隙部１３１ｃの内周面上には、軸Ｘと平行な方向に横溝部１３４ａが設けられており、円柱状空隙部１３１ｃの内周面上において複数の縦溝部１３４ｂが軸Ｘ方向において互いに所定の間隔をおいて、それぞれ周方向に約１／４周に亘って設けられている。各縦溝部１３４ｂは、それぞれの下端において横溝部１３４ａと連通している。係合突起部１１８を横溝部１３４ａに係合させた状態で円筒部１１７を円柱状空隙部１３１ｃに挿入すると、係合突起部１１８は横溝部１３４ａに沿って摺動する。係合突起部１１８が何れかの縦溝部１３４ｂの下端に位置している状態で口金１１を軸Ｘを中心に回転させることにより、係合突起部１１８が縦溝部１３４ｂに沿って摺動し、それにより、係合突起部１１８が横溝部１３４ａから外れ、係合突起部１１８の軸Ｘ方向の移動が規制される。その結果、口金１１と連結部１３との軸Ｘ方向の距離が固定される。口金１１と連結部１３との軸Ｘ方向の距離を再び変える際には、口金１１を軸Ｘを中心に上記とは反対の方向に回転させて係合突起部１１８を横溝部１３４ａ上に戻すと、それと同時に係合突起部１１８と縦溝部１３４ｂとの係合が解除され、口金１１を連結部１３に対して軸Ｘ方向に移動可能となる。
【００３５】
図２１に、互いに組みつけられた状態の口金１１、および連結部１３の、図２０ａの仮想平面Ｐ３による断面図を示す。なお、それぞれの縦溝部１３４ｂは、円柱状空隙部１３１ｃの内周面上において周方向に約１／４周に亘って設けられているとしたが、それに限られず、１／４周よりも小さくてもよいし大きくてもよい。例えば、半周に亘って設けられているとしてもよい。また、係合突起部１１８は、１つに限られず、円筒部１１７の外周面上に複数立設されているとしてもよい。その場合はそれぞれに対応する横溝部１３４ａおよび縦溝部１３４ｂのうち、少なくとも横溝部１３４ａを設ける必要がある。
【００３６】
また、上記各変形例の内容をそれぞれ組み合わせるとしてもよい。
＜実施の形態２＞
上記実施の形態１および各変形例においては、直管蛍光灯を代替する直管型照明光源１００について説明した。しかし、分割することにより取り扱いが容易になり、また、光源部を構成する発光ユニットの個数を調節することにより、既存の多用な蛍光灯用照明器具に対応するという考えは、直管型に限られず、既存の丸形蛍光灯を代替する照明光源にも適用可能である。実施の形態２においては、既存の丸形蛍光灯を代替する半導体発光素子を用いた照明光源について説明する。なお、説明の重複を避けるため、実施の形態１および実施の形態１の各変形例と同じ内容のものについてはその説明を省略し、同じ構成要素については、同符号を付すものとする。
【００３７】
本実施の形態における光源ユニット４０の平面図を図２２（ａ）に、口金部５０の平面図を図２２（ｂ）に、複数の光源ユニット４０が直列に連結され、その両端がひとつの口金部５０に連結されて成る環状照明光源３００の平面図を図２２（ｃ）に示す。図２２（ｃ）においては、環状照明光源３００は、６個の光源ユニット４０と１個の口金部５０とから成る七角形状構成となっている。連結部４１は、照明光源３００の各光源ユニット４０の光照射方向と直行する１の平面内において屈曲可能である。これは、光源ユニット４０を環状に連結する際に、連結する光源ユニット４０の個数が変化しても、環状に連結可能であるためには、連結部が屈曲可能な構成を有する必要があるが、その際に連結部の屈曲が光照射方向に影響を与えないようにするためである。光源ユニット４０の連結部４１側端部にはピン２２６ａおよび２２６ｂが立設されており、連結部２１側端部にはピン穴２１５ａおよび２１５ｂが設けられている（図２３参照）。口金部５０は、丸形蛍光灯用照明器具のソケットに嵌合される二対の電極端子１１１（図２２（ｂ）、（ｃ）においては、電極端子１１１は重なっており、手前の一対のみが表示されている）を備える口金５２と、１の平面内において屈曲可能な連結部５１とから成り、連結部５１の口金とは反対側の端部にはピン２２３および２２４が立設されており、口金５２の連結部５１とは反対側の端部には不図示のピン穴２１５ａおよび２１５ｂが設けられている。なお、口金部５０は、整流回路を内蔵している。
【００３８】
図２３は、連結部４１を覆う蛇腹状のカバー部材４１１を一部切り欠いて連結部４１の内部の様子を示した光源ユニット４０の一部切り欠き斜視図である。連結部４１は、筐体側連結部材４１２に立設されたアーム部材４１４と、ピン側連結部材４１３に立設されたアーム部材４１５とが、それぞれの端部において１の点を中心にして１の平面内において回転可能に接続され、アーム部材４１４および４１５がカバー部材４１１によって覆われた構成となっている。また、筐体側連結部材４１２とピン側連結部材４１３とは、リード線１１２によって連結されており、リード線１１２は、ピン２２６ａおよび２２６ｂと発光部２３との間の電流路の一部を形成する。
【００３９】
図２４は、アーム部材４１４および４１５を分離して示した斜視図である。アーム部材４１４は、鏡像関係にある上部アーム部材４１４１および下部アーム部材４１４２より成る。上部アーム部材４１４１および下部アーム部材４１４２は、それぞれ端部に円柱状の凹部４１４１ａおよび４１４２ａを有する。当該円柱状凹部４１４１ａおよび４１４２ａの筐体側連結部材４１２側は、それぞれ段差部４１４１ｃおよび４１４２ｃを介して、接合面４１４１ｂおよび４１４２ｂが形作られている。円柱状凹部４１４１ａおよび４１４２ａは、それぞれ接合面４１４１ｂおよび４１４２ｂの一部に侵入する形となっている。一方、アーム部材４１５は、平坦な四角柱状のアーム本体部４１５ｂの先端に平坦な円柱状のディスク部材４１５ａが一体的に形成されて成る。ディスク部材４１５ａは、円柱状凹部４１４１ａおよび４１４２ａ内部に挟まれた状態で収納され、接合面４１４１ｂと４１４２ｂとが接合されることにより、上部アーム部材４１４１と下部アーム部材４１４２とが一体化してアーム部材４１４を形成する。ディスク部材４１５ａは、円柱状凹部４１４１ａおよび４１４２ａ内に、ディスク部材４１５ａの円筒の軸を中心に回転可能に保持され、ディスク部材４１５ａの回転の際には、アーム本体部４１５ｂは、段差部４１４１ｃおよび４１４２ｃによって形成される空間内を移動する。ディスク部材４１５ａの回転は、アーム本体部４１５ｂと段差部４１４１ｃおよび４１４２ｃとの係止によって制限される。上記の構成により、アーム部材４１４および４１５は、ディスク部材４１５ａの円筒の軸を中心に、当該軸と直行する１の平面内において屈曲可能となる。なお、円柱状凹部４１４１ａおよび４１４２ａは、それぞれ接合面４１４１ｂおよび４１４２ｂの一部に侵入する形となっているとしたが、これに限られず、全く侵入しない形としてもよい。
【００４０】
なお、連結部５１も連結部４１と同様の構成を備える。
＜変形例＞
実施の形態２において、連結する光源ユニットの個数を固定とする場合、光源ユニット４０および口金部５０を、所望の環径が得られる屈曲率を有した固定的な形状とし、連結部は屈曲せず固定としてもよい。
【００４１】
また、実施の形態２においては、
なお、上記実施の形態１の各変形例の内容を実施の形態２にそれぞれ適応してもよく、上記各変形例の内容をそれぞれ組み合わせるとしてもよい。
【産業上の利用可能性】
【００４２】
本発明に係る照明光源は、製造時、輸送時、保管時、取り付け時等に取り扱いの容易な照明光源として有用である。
【符号の説明】
【００４３】
１０、３０、５０              口金部
１１、５２                    口金
１２                          バネ
１３、２１、２２、４１、５１  連結部
１４                          回転部
２０、４０                    光源ユニット
２３                          発光部
２４                          筐体
２５                          導電線
２６                          反射膜
２７                          有機ＥＬ
２８                          小光源ユニット
２９                          ドックベース
１００                        直管型照明光源
１１１                        電極端子
１１２、２２４                リード線
１１３                        円柱部
１１４                        キャップ
１１４ａ、１１８              係合突起部
１１５                        円筒状空隙部
１１６                        第１係合部
１１７、１３３                円筒部
１３１                        第２被係合部
１３１ａ                      円形開口部
１３１ｂ                      環状段差部
１３１ｃ                      円柱状空隙部
１３１ｄ                      収納部
１３２                        スライド溝
１３３ａ                      オスネジ部
１３４ａ                      横溝部
１３４ｂ                      縦溝部
１４１                        第１被係合部
１４２                        第２係合部
１４３                        メスネジ部
２００                        光源部
２１１                        メスネジ
２１２                        凹部
２１３、２１４、２１６ａ、２１６ｂ、２２３、２９２ａ、２９２ｂ  差込口
２１５ａ、２１５ｂ            ピン穴
２１７ａ、２１９              連結穴
２１７ｂ、２１９ｃ            連結空隙
２１７ｃ                      回転空間
２１７ｄ、２１９ｅ、２２８ｃ、２２９ｃ  電気端子部
２１９ａ                      水平長円形穴部
２１９ｂ                      垂直長円形穴部
２１９ｄ                      スライド空間
２２１                        オスネジ
２２２                        凸部
２２５                        開口部
２２６ａ、２２６ｂ            ピン
２２７ａ、２２７ｂ、２３３、２３６ａ、２３６ｂ、２８４、２８５  板状ピン
２２８、２２９                連結部材
２２８ａ、２２９ａ            板状部材
２２８ｂ、２２９ｂ            円柱状部材
２３１                        ベース部材
２３２、２３２’              ＬＥＤ
２３２’Ｒ                    赤色ＬＥＤ
２３２’Ｇ                    緑色ＬＥＤ
２３２’Ｂ                    青色ＬＥＤ
２３４                        半田付け
２３５                        遮蔽部材
２３７                        半円柱状部材
２４１                        導光部材
２４２                        蛍光体層
２８１、２８３                封止部材
２８２                        小筐体
２９１                        収容凹部
３００                        環状照明光源
４１１                        カバー部材
４１２                        筐体側連結部材
４１３                        ピン側連結部材
４１４、４１５                アーム部材
４１５ａ                      ディスク部材
４１５ｂ                      アーム本体部
４１４１                      上部アーム部材
４１４１ａ、４１４２ａ        円柱状凹部
４１４１ｂ、４１４２ｂ        接合面
４１４１ｃ                    段差部
４１４２                      下部アーム部材
【図１】
2011070810.tif 000003
【図２】
2011070810.tif 000004
【図３】
2011070810.tif 000005
【図４】
2011070810.tif 000006
【図５】
2011070810.tif 000007
【図６】
2011070810.tif 000008
【図７】
2011070810.tif 000009
【図８】
2011070810.tif 000010
【図９】
2011070810.tif 000011
【図１０】
2011070810.tif 000012
【図１１】
2011070810.tif 000013
【図１２】
2011070810.tif 000014
【図１３】
2011070810.tif 000015
【図１４】
2011070810.tif 000016
【図１５】
2011070810.tif 000017
【図１６】
2011070810.tif 000018
【図１７】
2011070810.tif 000019
【図１８】
2011070810.tif 000020
【図１９】
2011070810.tif 000021
【図２０】
2011070810.tif 000022
【図２１】
2011070810.tif 000023
【図２２】
2011070810.tif 000024
【図２３】
2011070810.tif 000025
【図２４】
2011070810.tif 000026